(57)【要約】【課題】光の明滅によって呼吸のリズムを整える照明システムにおいて、吸気から呼気、あるいは、呼気から吸気への切り替わりのタイミングを分かりやすくする。【解決手段】照明システム１は、異なる色度を有する第１および第２光を発する光源部１０と、第１および第２光の出力を時間的に変化させ、合算光に光強度の増減を繰り返す変化を与える制御部２０とを備える。制御部２０は、合算光が、極小値から極大値に変化する過程、および、極大値から次の極小値に変化する過程において、第１色度を有し、かつ、極大値を有するとき、および、極小値を有するときのうち少なくともいずれか一方において、第１色度と異なる第２色度を有するように、第１および第２光の出力を制御する。【選択図】図２
2019102144.tif 000002
【特許請求の範囲】
【請求項１】
第１光と、前記第１光と異なる色度を有する第２光とを発する光源部と、
前記第１光および前記第２光の出力を時間的に変化させ、前記第１光と前記第２光とを合算した合算光に光強度の増減を繰り返す変化を与える制御部とを備え、
前記制御部は、前記合算光が、極小値から極大値に変化する過程、および、前記極大値から次の極小値に変化する過程において、第１色度を有し、かつ、前記極大値を有するとき、および、前記極小値を有するときのうち少なくともいずれか一方において、前記第１色度と異なる第２色度を有するように、前記第１光および前記第２光の出力を制御する
照明システム。
【請求項２】
請求項１記載の照明システムにおいて、
前記合算光の光強度が増加する増加期間と、前記増加期間の後の、前記合算光の光強度が減少する減少期間とを含む増減期間において、
前記増加期間を、第１増加期間と、前記第１増加期間の後の第２増加期間に区分し、前記減少期間を、第１減少期間と、前記第１減少期間の後の第２減少期間に区分したとき、
前記制御部は、
前記第１光を、少なくとも前記第１増加期間および前記第２減少期間において発させ、
前記第２光を、前記第２増加期間および前記第１減少期間において発させる一方、前記第１増加期間および前記第２減少期間において発させず、
前記合算光は、前記極大値を有するとき、前記第２色度を有する
照明システム。
【請求項３】
請求項２記載の照明システムにおいて、
前記第１光の強度および前記第２光の強度は、同一周期で変化し、同一タイミングでピークを有しており、
前記第２光の強度の半値幅は、前記第１光の強度の半値幅よりも小さい
照明システム。
【請求項４】
請求項２記載の照明システムにおいて、
前記増減期間は、前記増加期間と前記減少期間との間に、前記合算光の光強度が維持される維持期間をさらに含む
照明システム。
【請求項５】
請求項４記載の照明システムにおいて、
前記制御部は、前記維持期間中、前記第２光を継続して発させる
照明システム。
【請求項６】
請求項４記載の照明システムにおいて、
前記制御部は、前記維持期間の開始後、前記第２光を一旦消し、前記維持期間の終了前に、再度発させる
照明システム。
【請求項７】
請求項２〜６のうちいずれか１項記載の照明システムにおいて、
前記第２増加期間が前記増加期間に対して占める割合は、５０％以下であり、
前記第１減少期間が前記減少期間に対して占める割合は、５０％以下である
照明システム。
【請求項８】
請求項２〜６のうちいずれか１項記載の照明システムにおいて、
前記第２増加期間は、０．５秒以上、１．５秒以下であり、
前記第１減少期間は、０．５秒以上、１．５秒以下である
照明システム。
【請求項９】
請求項２〜８のうちいずれか１項記載の照明システムにおいて、
前記第２色度は、色度座標上において、前記第１色度を中心としたＭａｃＡｄａｍの３ステップの楕円の外側に存在する
照明システム。
【請求項１０】
請求項２〜８のうちいずれか１項記載の照明システムにおいて、
前記第１色度と前記第２色度との色温度差は、５０Ｋ以上、４００Ｋ以下である
照明システム。
【請求項１１】
請求項１〜１０のうちいずれか１項に記載の照明システムにおいて、
前記合算光の合算出力は、滑らかに変化する
照明システム。
【請求項１２】
請求項１〜１１のうちいずれか１項に記載の照明システムにおいて、
前記極小値は、ゼロより大きい
照明システム。
【請求項１３】
請求項１〜１２のうちいずれか１項に記載の照明システムにおいて、
前記光源部は、
前記第１光を発する第１光源と、
前記第２光を発する第２光源とを備え、
前記第１光源および前記第２光源は、同一の透光性カバーによって覆われている
照明システム。
【請求項１４】
第１光と、前記第１光と異なる色度を有する第２光とを発する光源部を制御する制御部を備え、
前記制御部は、前記第１光および前記第２光の出力を時間的に変化させ、前記第１光と前記第２光とを合算した合算光に光強度の増減を繰り返す変化を与え、
前記制御部は、前記合算光が、極小値から極大値に変化する過程、および、前記極大値から次の極小値に変化する過程において、第１色度を有し、かつ、前記極大値を有するとき、および、前記極小値を有するときのうち少なくともいずれか一方において、前記第１色度と異なる第２色度を有するように、前記第１光および前記第２光の出力を制御する
制御装置。
【請求項１５】
第１光と、前記第１光と異なる色度を有する第２光とを発する光源部を制御する制御方法であって、
前記第１光および前記第２光の出力を時間的に変化させ、前記第１光と前記第２光とを合算した合算光に光強度の増減を繰り返す変化を与えるステップを含み、
前記ステップにおいて、前記合算光が、極小値から極大値に変化する過程、および、前記極大値から次の極小値に変化する過程において、第１色度を有し、かつ、前記極大値を有するとき、および、前記極小値を有するときのうち少なくともいずれか一方において、前記第１色度と異なる第２色度を有するように、前記第１光および前記第２光の出力を制御する
制御方法。
【発明の詳細な説明】
【技術分野】
【０００１】
本発明は、光の明滅によってユーザの呼吸のリズムを整える照明システムに関する。
【背景技術】
【０００２】
ユーザがリラックスしたり瞑想したりするために、音声や映像等を用いて呼気および吸気のタイミングをユーザに示し、呼吸のリズムを誘導する装置やシステムがある。例えば特許文献１では、映像提示装置に、吸気時にはドットが拡散し、呼気時には拡散したドットが集まるという誘導映像を表示する。また、映像に加えて、呼吸のリズムを音の変化によって提示している。
【先行技術文献】
【特許文献】
【０００３】
【特許文献１】特許第５０８１１２５号公報
【非特許文献】
【０００４】
【非特許文献１】武内  徹二、「明るさの知覚」、照明学会誌、第８１巻第６号、頁４９３−４９９、１９９７年
【非特許文献２】本吉  勇、「変化のシグナルが知覚の扉を叩く−錯視が明らかにする脳の情報選択戦略」、ＮＴＴ技術ジャーナル、２０１０年９月、頁２３−２５
【非特許文献３】立田  節雄、「相関色温度による噴霧火炎の火炎色の定量化とその応用」、日本機械学会論文集、７２巻７２０号、頁１８７５−１８７９、２００６年
【発明の概要】
【発明が解決しようとする課題】
【０００５】
しかしながら、特許文献１の技術では、映像（視覚情報）や音声（聴覚情報）がユーザに与えられるため、ユーザにとっては、受ける情報量が多いためにリラックス度や没入感が劣ることが懸念される。また、装置が大掛かりになり、手軽に利用することが困難である。さらに、音声を利用する場合には、空間外への音漏れが騒音になることが懸念される。
【０００６】
これに対して、光の明滅によって呼吸のリズムを整える照明システムが提案されている。この照明システムでは、ユーザは、映像や音声を受けないので、リラックス度や没入感は増大すると考えられる。また、装置構成も簡易になり、ユーザは手軽に利用できる。
【０００７】
光の明滅によって呼吸のリズムを整える照明システムの場合、例えば、出力光の強度が、極小値→増加→極大値→減少→極小値→増加→極大値→減少→…といった変化を繰り返し、ユーザは、光強度が増加するとき息を吸い、減少するとき息を吐く、といったリズムで呼吸を行う。この場合、ユーザは、吸気から呼気への切り替わりのタイミング（上の例では光強度が極大値となるタイミング）や、呼気から吸気への切り替わりのタイミング（上の例では光強度が極小値となるタイミング）が分かりにくい、という問題がある。
【０００８】
そこで、本発明は、光の明滅によって呼吸のリズムを整える照明システムにおいて、吸気から呼気、あるいは、呼気から吸気への切り替わりのタイミングを分かりやすくすることを目的とする。
【課題を解決するための手段】
【０００９】
上記課題を解決するために、本発明の一実施形態に係る照明システムは、第１光と、前記第１光と異なる色度を有する第２光とを発する光源部と、前記第１光および前記第２光の出力を時間的に変化させ、前記第１光と前記第２光とを合算した合算光に光強度の増減を繰り返す変化を与える制御部とを備え、前記制御部は、前記合算光が、極小値から極大値に変化する過程、および、極大値から次の極小値に変化する過程において、第１色度を有し、かつ、前記極大値を有するとき、および、前記極小値を有するときのうち少なくともいずれか一方において、前記第１色度と異なる第２色度を有するように、前記第１光および前記第２光の出力を制御する。
【発明の効果】
【００１０】
本発明によると、光の明滅によって呼吸のリズムを整える照明システムにおいて、吸気から呼気、あるいは、呼気から吸気への切り替わりのタイミングが分かりやすくなる。
【図面の簡単な説明】
【００１１】
【図１】実施形態に係る照明システムの概略構成
【図２】実施形態に係る照明システムの動作例を示す図であり、（ａ）は合算光の強度、（ｂ）は合算光の色度、（ｃ）第１光の強度、（ｄ）は第２光の強度
【図３】図２の動作例の１周期を示す図であり、（ａ）は合算光の強度、（ｂ）は第１光の強度、（ｃ）は第２光の強度、（ｄ）は合算光の色度
【図４】（ａ），（ｂ）は第２光の強度波形の他の例
【図５】各種照度のパルス光がそれと等しい明るさに感じられる時間を評価したグラフ
【図６】各色温度における、色差が知覚可能な色温度差ΔＫおよび色差が知覚可能な色温度Ｋを表した図
【図７】炎の各種位置、燃焼時の空気比λを変化させたときの噴霧式油バーナーの炎の色温度の値を示す図
【図８】実施形態に係る照明システムの他の動作例を示す図であり、（ａ）は合算光の強度、（ｂ）は合算光の色度、（ｃ）は第１光の強度、（ｄ）は第２光の強度
【図９】実施形態に係る照明システムの他の動作例を示す図であり、（ａ）は合算光の強度、（ｂ），（ｃ）は合算光の色度、（ｄ）は第１光の強度、（ｅ）は第２光の強度
【図１０】実施形態に係る照明システムの他の動作例を示す図であり、（ａ）は合算光の強度、（ｂ）は合算光の色度
【発明を実施するための形態】
【００１２】
以下、本発明の各実施形態を図面に基づいて詳細に説明する。以下の各実施形態の説明は、本質的に例示に過ぎず、本発明、その適用物或いはその用途を制限することを意図するものではない。
【００１３】
図１は実施形態に係る照明システムの概略構成を示す。図１に示すように、本実施形態では、照明システム１は、光源部１０と、光源部１０が発する光を制御する制御部２０とを備える。光源部１０は、第１光を発する第１光源１１と、第１光と異なる色度を有する第２光を発する第２光源１２と、第１光源１１および第２光源１２を駆動する駆動部１３とを有する。また、第１光源１０および第２光源１２は、同一の透光性カバー１４によって覆われている。制御部２０は、例えばユーザがリモコンやスイッチ等を操作することによって出力される操作信号を受け、操作信号が指示する照明モードに従って、光源部１０を制御する。
【００１４】
−動作例１
図２は本実施形態に係る照明システム１の動作例を示す。図２（ａ）は、照明システム１から出力される合算光の光強度の変化の例を示す。この合算光は、第１光源１１が発する第１光と、第２光源１２が発する第２光とを合算した光である。図２（ａ）に示すように、制御部２０は、合算光に光強度の増減を繰り返す変化を与える。合算光は、極大値ａ１と極小値ａ２を交互に有する。ユーザは例えば、出力光の強度が、増加するとき息を吸い、減少するとき息を吐く、といったリズムで呼吸を行う。合算光の合算出力は、滑らかに変化している。また、極小値ａ２はゼロより大きい。
【００１５】
そしてこの動作例では、図２（ｂ）に示すように、合算光は、極大値ａ１の近傍において、それ以外の期間とは異なる色度を有する。すなわち、合算光は、極小値ａ２から極大値ａ１に変化する過程、および、極大値ａ１から次の極小値ａ２に変化する過程において、第１色度を有し、かつ、極大値ａ１を有するとき、第１色度と異なる第２色度を有する。極小値ａ２を有するときは、第１色度のままである。
【００１６】
この動作例では、合算光の色度は、極大値ａ１の近傍において、他の期間における色度から変化する。このような動作により、ユーザは、合算光の光強度が極大になるタイミングが認識しやすくなり、例えば吸気から呼気への切り替わりのタイミングを容易にとらえることができる。
【００１７】
図２（ａ），（ｂ）のような合算光を実現するために、制御部２０は、例えば図２（ｃ），（ｄ）に示すように、第１光および第２光を変化させる。図２（ｃ），（ｄ）の例では、第１光の強度と第２光の強度は、同一周期で変化し、同一タイミングでピークを有している。ただし、第２光は第１光よりもピークが鋭く、合算光の強度が極大値ａ１を有する近傍においてのみ、発せられる。すなわち、第２光の強度の半値幅（最大出力の５０％以上の出力を持つ時間）は、第１光の強度の半値幅よりも小さい。
【００１８】
図３は図２の動作例の１周期を示す図である。図３（ａ）は合算光の光強度の変化を示す。図３（ａ）に示すように、合算光の増減期間は、合算光の光強度が増加する増加期間と、増加期間の後の合算光の光強度が減少する減少期間とを含む。そして、ここでは、増加期間を、第１増加期間（増１と図示）と、その後の第２増加期間（増２と図示）とに区分するとともに、減少期間を、第１減少期間（減１と図示）と、その後の第２減少期間（減２と図示）とに区分する。
【００１９】
ここで、制御部２０は、第１光を図３（ｂ）に示すように変化させる。すなわち、第１増加期間において徐々に光強度を強め、第２増加期間および第１減少期間において、光強度をほぼ一定に保ち、第２減少期間において徐々に光強度を弱める。
【００２０】
また、制御部２０は、第２光を図３（ｃ）に示すように変化させる。すなわち、第２光を、第２増加期間および第１減少期間において発させる一方、第１増加期間および第２減少期間において発させないよう、制御する。この結果、合算光は、図３（ｄ）に示すように、第１光のみが発光している第１増加期間および第２減少期間は、第１光が持つ色度を第１色度として有する。そして、第２増加期間において第２光の光強度が十分に大きくなってから、第１減少期間において第２光の光強度が十分に小さくなるまでの間、第１光が持つ色度と第２光が持つ色度が混ざってなる色度を第２色度として有する。この結果、合算光は、極大値ａ１を有するとき、第２色度を有する。
【００２１】
なお、この場合には、第１色度から第２色度への変化、および、第２色度から第１色度への変化は、第２光の光強度の変化に従った滑らかなものになる。
【００２２】
そして、第２増加期間が増加期間に対して占める割合は、５０％以下であり、第１減少期間が減少期間に対して占める割合は、５０％以下であるのが好ましい。これにより、ユーザは、合算光の光強度が極大になるタイミングが、より認識しやすくなる。あるいは、第２増加期間は、０．５秒以上、１．５秒以下であり、第１減少期間は、０．５秒以上、１．５秒以下であるのが好ましい。これにより、ユーザは、合算光の光強度が極大になるタイミングが、より認識しやすくなる。
【００２３】
なお、第２光の光強度波形は、図２（ｄ）や図３（ｃ）に示したような正弦波状の波形に限られるものではない。図４は第２光の光強度波形の他の例を示す。図４（ａ）では、第２光の光強度波形は矩形波状になっている。この場合は、合算光における、第１色度から第２色度への変化および第２色度から第１色度への変化は、非連続的なものになる。
【００２４】
また、図４（ａ）の場合、第２光のパルス幅すなわち第２光を出力する時間は、１．０秒以上あるのが好ましい。図５は各種照度のパルス光がそれと等しい明るさに感じられる時間を評価したグラフである（非特許文献１の図７）。フラッシュ光のようなパルス光を見たときに、特に見た瞬間は非常に明るく感じられ、パルスの時間が長くなるとやがて一定の明るさに感じられる。この現象をブロッカ・ザルツァー効果と呼ぶ。また、例えば光源部１０がフロアライトである場合、フロアライトから利用者の顔面までの距離を考慮すると、利用者の顔面における照度は非常に暗く、第２光を５ｌｘ程度のパルス光とする場合もあり得る。このような場合であっても、図５から、第２光のパルス幅すなわち第２光を出力する時間は、１．０秒以上であれば、合算光の明滅変化において知覚違和感が生じないと考えられる。
【００２５】
また、図４（ｂ）では、第２光の光強度波形は三角波状になっている。この場合、光強度の上昇および下降にそれぞれ１秒程度の時間を与えれば、ユーザは色度の変化を明瞭に知覚できる（非特許文献２）。
【００２６】
また、第１光の光強度波形も、図２（ｃ）や図３（ｂ）に示すようなものに限られるものではない。例えば、図３において、第２増加期間および第１減少期間において、第１光の光強度をもっと弱めてもよい。あるいは、第２増加期間および第１減少期間において、第１光の出力を停止してもよい。この場合は、第２光が持つ色度そのものが、合算光が極大値ａ１を有するときの第２色度となる。
【００２７】
−第１色度と第２色度の差について
第２色度は、第１色度と比べて、ユーザが光の色が変化したことを認識できる程度に、差があることが好ましい。例えば、ＣＩＥ表色系の色度図上において、第２色度は、第１色度を中心としたＭａｃＡｄａｍの３ステップの楕円の外側にあるのが好ましい。これは、光源を３ステップ以内の色度で選択すると、色が揃ったものができると言われているためである。
【００２８】
第２色度は、第１色度との色温度の差ΔＫが、５０Ｋ以上、４００Ｋ以下であるのが好ましい。色温度とは、色の光を、黒体（外部からの光を完全に吸収する仮想の物体）の温度で表した数字であり、単位はＫ（ケルビン）を用いる。図６は色温度１０００〜６５００Ｋにおける、色差が知覚可能な色温度差ΔＫ、および、色差が知覚可能な色温度Ｋを表したものである。また、Ｍｉｒｅｄとは、逆色温度（色温度の逆数）を１００万倍した値であり、数値の差が色の差の違いにほぼ比例する。図６のデータでは、色差が知覚可能な色温度差ΔＫは、最右列に示す色温度６５００Ｋとした場合における５３．８Ｋが最小である。このことから、第２色度と第１色度との色温度の差ΔＫの下限として、５０Ｋが好ましいといえる。
【００２９】
一方、第２色度と第１色度との色温度の差ΔＫが大きすぎると、合算光の明滅リズムに違和感が生じ、利用者の没入感やリラックス度が低下することが懸念される。また、明滅のリズムのベースとなる第１光は、リラックスや落ち着きを誘起する炎のような、約２００Ｋ近傍の低色温度が好まれる。
【００３０】
図７は炎の各種位置Ｌ、燃焼時の空気比λを変化させたときの噴霧式油バーナーの炎の色温度Ｔｃｐの値を示す（非特許文献３のＦｉｇ．８）。図７から、炎の色温度Ｔｃｐは約１５００−２３００Ｋの範囲にあり、色温度Ｔｃｐの振れ幅は約８００Ｋある。この炎の色温度Ｙｃｐの振れ幅の５０％（４００Ｋ）以下であれば、違和感の少ない色温度の変化になると考えられる。この知見から、第２色度と第１色度との色温度の差ΔＫの上限として、４００Ｋが好ましいといえる。
【００３１】
（他の動作例）
なお、本実施形態に係る照明システムの動作は、上述した動作例１に限られるものではない。以下、他の動作例について説明する。
【００３２】
−動作例２
図８は本実施形態に係る照明システム１の他の動作例を示す図である。図８（ａ）は、照明システム１から出力される合算光の光強度の変化の例を示す。図８（ａ）に示すように、制御部２０は、合算光に光強度の増減を繰り返す変化を与える。合算光は、極大値ａ１と極小値ａ２を交互に有する。この合算光の光強度の変化は、上述した動作例と同様である。
【００３３】
ただしこの動作例では、図８（ｂ）に示すように、合算光は、極大値ａ１の近傍と、極小値ａ２の近傍とにおいて、それ以外の期間とは異なる色度を有する。すなわち、合算光は、極小値ａ２から極大値ａ１に変化する過程、および、極大値ａ１から次の極小値ａ２に変化する過程において、第１色度を有し、かつ、極大値ａ１を有するとき、第１色度と異なる第２色度を有する。加えて、極小値ａ２を有するとき、第１色度と異なる第３色度を有する。
【００３４】
この動作例では、合算光の色度が、極大値ａ１の近傍および極小値ａ２の近傍において、他の期間における色度から変化する。このような動作によって、ユーザは、合算光の光強度が極大となるタイミング、および、合算光の光強度が極小となるタイミングが認識しやすくなり、例えば吸気から呼気への切り替わりのタイミング、および、呼気から吸気への切り替わりのタイミングを容易にとらえることができる。
【００３５】
図８（ａ），（ｂ）のような合算光を実現するために、制御部２０は、例えば図８（ｃ），（ｄ）に示すように、第１光および第２光を変化させる。図８（ｃ），（ｄ）の例では、第２光は、第１光の強度が極大となるタイミングでピークを有する波形と、第１光の強度が極小となるタイミングでピークを有する波形との両方を含む。これにより、合算光が、極大値ａ１を有するときと極小値ａ２を有するときの両方において、それ以外の期間と異なる色度を有することになる。また、合算光が、極大値ａ１を有するときと極小値ａ２を有するときとにおいて、第１光と第２光の比率を変えることによって、第２色度と第３色度を異なる色度にすることができる。なお、合算光が極大値ａ１を有するときと極小値ａ２を有するときとにおいて、第１光と第２光の比率を同じにすれば、第２色度と第３色度を同じ色度にすることができる。
【００３６】
−動作例３
また、動作例１と同様にして、合算光の光強度が極小値ａ２の近傍においてのみ、それ以外の期間とは異なる色度を有するようにすることも可能である。この場合は例えば、第２光を、第１光の強度が極小となるタイミングでのみ、発させればよい。
【００３７】
−動作例４
図９は本実施形態に係る照明システム１の他の動作例を示す図である。図９（ａ）は、照明システム１から出力される合算光の光強度の変化の例を示す。図９（ａ）に示すように、制御部２０は、合算光に光強度の増減を繰り返す変化を与える。合算光は、極大値ａ１と極小値ａ２を交互に有する。
【００３８】
ただしこの動作例では、合算光の増減期間は、増加期間と減少期間との間に、光強度が維持される維持期間（極大値ａ１が維持される）をさらに含んでいる。ユーザは例えば、出力光の強度が、増加するとき息を吸い、維持されているとき息を保ち、減少するとき息を吐く、といったリズムで呼吸を行う。
【００３９】
そして、図９（ｂ）に示すように、合算光は、維持期間の始期近傍と、維持期間の終期近傍とにおいて、それ以外の期間とは異なる第２色度を有する（パターンＡ）。あるいは、図９（ｃ）に示すように、合算光は、維持期間全体において、それ以外の期間とは異なる第２色度を有する（パターンＢ）。
【００４０】
図９（ｂ）に示すパターンＡを実現するためには、制御部２０は、例えば図９（ｄ）に示すように、第２光を変化させる。図９（ｄ）の例では、第２光は、維持期間の始期近傍と維持期間の終期近傍とにおいてそれぞれ、パルス状の出力を発する。すなわち、制御部２０は、維持期間の開始後、第２光を一旦消し、維持期間の終了前に、再度発させる。これにより、合算光は、維持期間の始期近傍と維持期間の終期近傍とにおいて、それ以外の期間と異なる第２色度を有するようになる。また、図９（ｃ）に示すパターンＢを実現するためには、制御部２０は、例えば図９（ｅ）に示すように、第２光を変化させる。図９（ｅ）の例では、第２光は、維持期間の始期少し前から終期少し後までの間、パルス状の出力を発する。すなわち、制御部２０は、維持期間中、第２光を継続して発させる。これにより、合算光は、維持期間全体において、それ以外の期間と異なる第２色度を有するようになる。
【００４１】
なお、この動作例４は、上述した動作例２，３と組み合わせて適用してもよい。例えば、動作例２において、極大値ａ１を維持する維持期間と、極小値ａ２を維持する維持期間とを設けてもよいし、極大値ａ１と極小値ａ２のいずれか一方について、維持期間を設けてもよい。
【００４２】
−その他の動作例
上述の各動作例では、合算光は、極大値ａ１および極小値ａ２が一定であるものとして説明を行ったが、本開示はこれに限られるものではない。
【００４３】
図１０（ａ）は照明システム１から出力される合算光の光強度の変化の例を示す。この例では、合算光の極大値が、ａ１１→ａ１２→ａ１３→ａ１４と、徐々に小さくなっている。このような合算光であっても、上述の動作例と同様にして、図１０（ｂ）に示すように、極大値ａ１１，ａ１２，ａ１３，ａ１４の近傍において、それ以外の期間とは異なる色度を有するようにすることができる。
【００４４】
また、合算光の極大値および極小値に、他の変化を与えてもよい。例えば、極小値を徐々に大きくしていってもよいし、極大値と極小値が周期的に変化してもかまわない。
【００４５】
また、上述の各動作例では、合算光の増減期間の一周期の長さは一定であるものとして説明を行ったが、一周期の長さは変化させてもかまわない。変化の例としては、徐々に長くする、徐々に短くする、ランダムな長さとする、長さの変化にゆらぎを持たせる、などがある。
【００４６】
以上のように、本実施形態に係る照明システムは、第１光と、第１光と異なる色度を有する第２光とを発する光源部１０と、第１光および第２光の出力を時間的に変化させ、第１光と第２光とを合算した合算光に光強度の増減を繰り返す変化を与える制御部２０とを備える。そして、制御部２０は、合算光が、極小値から極大値に変化する過程、および、極大値から次の極小値に変化する過程において、第１色度を有し、かつ、極大値を有するとき、および、極小値を有するときのうち少なくともいずれか一方において、第１色度と異なる第２色度を有するように、第１光および前記第２光の出力を制御する。
【００４７】
これにより、光源部１０から出力される合算光は、光強度の増減を繰り返し、かつ、極大値を有するとき、および、極小値を有するときのうち少なくともいずれか一方において、他の期間とは異なる色度を有する。このため、例えばユーザは、光強度が増加するとき息を吸い、減少するとき息を吐く、といったリズムで呼吸を行う場合、吸気から呼気への切り替わりのタイミングや、呼気から吸気への切り替わりのタイミングがとらえやすくなる。したがって、ユーザは、本実施形態に係る照明システムを用いて、手軽に深呼吸してリラックスすることができる。
【００４８】
また、合算光の光強度が増加する増加期間と、増加期間の後の、合算光の光強度が減少する減少期間とを含む増減期間において、増加期間を、第１増加期間と、第１増加期間の後の第２増加期間に区分し、減少期間を、第１減少期間と、第１減少期間の後の第２減少期間に区分したとき、制御部２０は、第１光を、少なくとも第１増加期間および第２減少期間において発させ、第２光を、第２増加期間および第１減少期間において発させる一方、第１増加期間および前記第２減少期間において発させず、合算光は、極大値を有するとき、第２色度を有する、としてもよい。これにより、光源部１０から出力される合算光は、極大値を有するとき、他の期間とは異なる第２色度を有する。このため、例えばユーザは、光強度が増加するとき息を吸い、減少するとき息を吐く、といったリズムで呼吸を行う場合、吸気から呼気への切り替わりのタイミングがとらえやすくなる。また、合算光の極大値における色度の変化を、簡単な制御によって、実現することができる。
【００４９】
さらに、第１光の強度および第２光の強度は、同一周期で変化し、同一タイミングでピークを有しており、第２光の強度の半値幅は、第１光の強度の半値幅よりも小さい、としてもよい。これにより、また、合算光の極大値における色度の変化を、簡単な制御によって、容易に実現することができる。
【００５０】
また、増減期間は、増加期間と減少期間との間に、合算光の光強度が維持される維持期間をさらに含む、としてもよい。これにより、ユーザは、光強度が増加するとき息を吸い、維持されているときは息を止め、減少するとき息を吐く、といったリズムで呼吸を行うことができる。
【００５１】
さらに、制御部２０は、維持期間中、第２光を継続して発させる、としてもよい。これにより、維持期間の間、合算光の色度を他の期間と異なる色度にすることができる。
【００５２】
また、制御部２０は、維持期間の開始後、第２光を一旦消し、維持期間の終了前に、再度発させる、としてもよい。これにより、維持期間の始期近傍と終期近傍とにおいて、合算光の色度を他の期間と異なる色度にすることができる。
【００５３】
また、第２増加期間が増加期間に対して占める割合は、５０％以下であり、第１減少期間が減少期間に対して占める割合は、５０％以下である、としてもよい。これにより、ユーザは、合算光の光強度が極大になるタイミングが、より認識しやすくなる。
【００５４】
また、第２増加期間は、０．５秒以上、１．５秒以下であり、第１減少期間は、０．５秒以上、１．５秒以下である、としてもよい。これにより、ユーザは、合算光の光強度が極大になるタイミングが、より認識しやすくなる。
【００５５】
また、第２色度は、色度座標上において、第１色度を中心としたＭａｃＡｄａｍの３ステップの楕円の外側に存在する、としてもよい。これにより、ユーザは、合算光の色度の変化を認識することができる。
【００５６】
また、第１色度と第２色度との色温度差は、５０Ｋ以上、４００Ｋ以下である、としてもよい。これにより、ユーザは、合算光の色度の変化を認識することができ、かつ、違和感を持つことがない。
【００５７】
また、合算光の合算出力は、滑らかに変化する、としてもよい。
【００５８】
また、極小値は、ゼロより大きい、としてもよい。
【００５９】
また、光源部１０は、第１光を発する第１光源１１と、第２光を発する第２光源１２とを備え、第１光源１１および第２光源１２は、同一の透光性カバー１４によって覆われている、としてもよい。
【００６０】
（他の実施形態）
以上のように、本出願において開示する技術の例示として、実施形態について説明した。しかしながら、本開示における技術は、これに限定されず、適宜、変更、置き換え、付加、省略などを行った実施形態にも適用可能である。また、上記実施形態で説明した各構成要素を組み合わせて、新たな実施の形態とすることも可能である。
【００６１】
上記実施形態について、以下のような構成としてもよい。例えば、第１光を発する第１光源１１と、第２光を発する第２光源１２とは、別のユニットにそれぞれ含まれていてもよい。例えば、第１光源１１はフロアライトとし、第２光源１２はダウンライトとしてもよい。また、第１光を発する第１光源１１は、１個の光源であってもよいし、複数の光源からなっていてもよい。同様に、第２光を発する第２光源１２は、１個の光源であってもよいし、複数の光源からなっていてもよい。
【００６２】
また、上記実施形態では、合算光の強度の極小値ａ２はゼロより大きいものとしたが、極小値はゼロであってもかまわない。これにより、例えば呼気から吸気への切り替わりのタイミングが、より分かりやすくなる。
【００６３】
また、本開示に係る照明システムは、映像や音声を出力するシステムと組み合わせて構成してもよい。
【００６４】
また、制御部２０は、光源部１０とは別個に構成された、制御装置に含まれていてもよい。この制御装置は、ユーザの操作を受けて、光源部１０に対して、上述したような動作を行うよう制御する。さらに、例えばスマートフォンのような携帯機器を、この制御装置として利用することも可能である。この場合、携帯機器に、光源部１０が上述したような動作を行うよう制御する制御方法を実行するためのプログラムをダウンロードし、このプログラムを実行する、という実施形態も可能である。
【００６５】
すなわち、本開示は、制御装置であって、第１光と、第１光と異なる色度を有する第２光とを発する光源部１０を制御する制御部２０を備え、制御部２０は、第１光および第２光の出力を時間的に変化させ、第１光と前記第２光とを合算した合算光に光強度の増減を繰り返す変化を与え、制御部２０は、合算光が、極小値から極大値に変化する過程、および、極大値から次の極小値に変化する過程において、第１色度を有し、かつ、極大値を有するとき、および、極小値を有するときのうち少なくともいずれか一方において、第１色度と異なる第２色度を有するように、第１光および前記第２光の出力を制御するものを含む。
【００６６】
また、本開示は、第１光と、第１光と異なる色度を有する第２光とを発する光源部１０を制御する制御方法であって、第１光および第２光の出力を時間的に変化させ、第１光と前記第２光とを合算した合算光に光強度の増減を繰り返す変化を与えるステップを含み、ステップにおいて、合算光が、極小値から極大値に変化する過程、および、極大値から次の極小値に変化する過程において、第１色度を有し、かつ、極大値を有するとき、および、極小値を有するときのうち少なくともいずれか一方において、第１色度と異なる第２色度を有するように、第１光および前記第２光の出力を制御するものを含む。
【産業上の利用可能性】
【００６７】
本発明による照明システムは、吸気から呼気、あるいは、呼気から吸気への切り替わりのタイミングが分かりやすいという効果を有し、主に、ユーザが手軽にリラックスするのに有用である。
【符号の説明】
【００６８】
１  照明システム
１０  光源部
１１  第１光源
１２  第２光源
１４  透光性カバー
２０  制御部
【図１】
2019102144.tif 000003
【図２】
2019102144.tif 000004
【図３】
2019102144.tif 000005
【図４】
2019102144.tif 000006
【図５】
2019102144.tif 000007
【図６】
2019102144.tif 000008
【図７】
2019102144.tif 000009
【図８】
2019102144.tif 000010
【図９】
2019102144.tif 000011
【図１０】
2019102144.tif 000012